(57)【要約】【課題】本発明は、多色で順次印刷されるパターンの間隔を簡単に調整することができる搬送装置の提供を目的としてなされたものである。【解決手段】本発明では、長尺のシートをその長手方向に所定の搬送間隔で搬送するように構成されたシート搬送装置によって搬送されるラベル用のシートに、前記シートの長手方向に所定の転写間隔で並設された複数の転写手段を用いて、前記シートの長手方向に複数のパターンを同時に転写するように構成されたラベル用の印刷装置に用いるシート搬送装置において、前記複数の転写手段と同じ間隔で、スリットを挟んで配設された複数の印刷台と、前記スリットの下方に配設されて、搬送されるシートを下方に迂回させる迂回ローラと、前記迂回ローラによる迂回距離を長短調整する迂回距離調整手段と、前記迂回ローラに付着した余分なインク成分を除去する除去ローラを備えた。【選択図】            図１
2004175535.tif 000002
【特許請求の範囲】
【請求項１】
長尺のシートをその長手方向に所定の搬送間隔で搬送するように構成されたシート搬送装置によって搬送されるラベル用のシートに、前記シートの長手方向に所定の転写間隔で並設された複数の転写手段を用いて、前記シートの長手方向に複数のパターンを同時に転写するように構成されたラベル用の印刷装置に用いるシート搬送装置において、
前記複数の転写手段と同じ間隔で、スリットを挟んで配設された複数の印刷台と、
前記スリットの下方に配設されて、搬送されるシートを下方に迂回させる迂回ローラと、
前記迂回ローラによる迂回距離を長短調整する迂回距離調整手段と、
を備えたことを特徴とするシート搬送装置。
【請求項２】
前記迂回ローラに付着した余分なインク成分を除去する除去ローラを備えたことを特徴とする請求項１に記載のシート搬送装置。
【発明の詳細な説明】
【発明の属する技術分野】
本発明は、被印刷物としての長尺のシートに対して、複数色のパターンを順次重ね刷りして多色刷りを行うように構成されたラベル用の印刷装置に用いるシート搬送装置に関するものである。
【０００１】
【従来の技術】
従来より、被印刷物としての長尺のシートに対して、複数色のパターンを順次重ね刷りして多色刷りを行うように構成された印刷装置の場合には、それぞれ異なる色のパターンが形成された版胴を、シートの搬送方向に順次並べて設置し、間歇的に搬送されるシートの各印刷位置に、複数の色のパターンが順次重ね刷りされるように構成されている。
【０００２】
【発明が解決しようとする課題】
このような構成において、印刷パターンのサイズが変更される等の理由によって、シートに転写されるパターンの間隔を変更する必要が生じた場合には、版胴や印刷胴の交換だけでなく、間歇的な搬送間隔の再調整等に多大な手間を要するという問題があった。
【０００３】
また、品質の優れた重ね刷りを行うためには、前の工程で転写された余分なインクが乾燥等によって付着しないように処理されている必要があったが、従来のように特定の波長の紫外線を用いた乾燥手段では設置空間を要するので、狭い版胴間には配設が困難であるという問題や、発熱による温度上昇の問題があった。温度が上昇すると各部の膨張等によって印刷品質が安定しないという問題もあった。
【０００４】
例えば、プラスチック製のコップ等の対象物に印刷する場合に、印刷すべき対象物はマンドレル上に滑り落され、次に印刷ローラと接触するようにされ、印刷ローラは少なくとも１個の版面と協働するように構成され、版面には対象物に転送されるべきインクが供給され、印刷を施した直後、印刷された対象物がまだマンドレル上にある間印刷の少なくとも一部は紫外線源等を用いて乾燥されるように構成されたものが提案されている。（特許文献１参照）
【０００５】
【特許文献１】特開平６−２５５０８２号公報
そこで、本発明は、多色で順次印刷されるパターンの間隔を簡単に調整することができる搬送装置の提供を目的としてなされたものである。
【０００６】
【課題を解決するための手段】
上記課題を解決するために、本発明の請求項１では、長尺のシートをその長手方向に所定の搬送間隔で搬送するように構成されたシート搬送装置によって搬送されるラベル用のシートに、前記シートの長手方向に所定の転写間隔で並設された複数の転写手段を用いて、前記シートの長手方向に複数のパターンを同時に転写するように構成されたラベル用の印刷装置に用いるシート搬送装置において、前記複数の転写手段と同じ間隔で、スリットを挟んで配設された複数の印刷台と、前記スリットの下方に配設されて、搬送されるシートを下方に迂回させる迂回ローラと、前記迂回ローラによる迂回距離を長短調整する迂回距離調整手段と、を備えるという手段を講じた。
【０００７】
請求項２では、前記迂回ローラに付着した余分なインク成分を除去する除去ローラを備えるという手段を講じた。
【０００８】
【発明の実施の形態】
以下に、本発明にかかるシート搬送装置を、その実施の形態を示した図面に基づいて詳細に説明する。
【０００９】
図１、２において、
１は転写手段であり、４色の印刷胴１１、１２、１３、１４が所定の間隔で配設されている。各印刷胴にはそれぞれ版胴、インク胴等が備えられている。
２は被印刷物としての長尺のシートＰを、前記転写手段１に沿って所定の搬送間隔で間歇的に搬送するように構成された搬送装置である。
２１，２２，２３，３４は前記各印刷胴に対応して配設された印刷台であり、それぞれの間にはスリットＳ１、Ｓ２、Ｓ３が形成されている。なお、各印刷台のスリット側の端にはシートの下方への迂回をスムースにするための補助ローラが配設されている。また、搬送装置の供給側の端と排出側の端にもシートの搬送をスムースにするための補助ローラが配設されている。
【００１０】
図示しない供給装置から引きだされたシートＰは、前記搬送装置の排出側に配設された引出しローラ（図示略）によって所定の張力が付与されつつ引きだされる。なお、排出側から排出されたシートは紫外線による乾燥部（図示略）を通過することによって、インク成分が完全に乾燥される。
以上のようにして、シートＰには、同じ図柄のカラーパターンが繰り返し印刷されるように構成されており、例えば、ＣＤ用のラベル印刷機が構成されているのである。
【００１１】
前記各スリットスリットＳ１、Ｓ２、Ｓ３の下方には、それぞれ迂回ローラＲ１、Ｒ２、Ｒ３が配設されている。これらの迂回ローラの少なくとも表面は、テフロン（商標）にセラミックコーティングされており、インク成分が一旦付着しても除去しやすい素材としている。
各迂回ローラは、それぞれ印刷位置調整クランクＡ１、Ａ２、Ａ３の出力アームの先端に軸支されている。なお、前記各出力アームの先端には、前記迂回ローラＲ１、Ｒ２、Ｒ３と共に除去ローラＪ１、Ｊ２、Ｊ３が配設されている。
【００１２】
印刷位置調整クランクＡ１、Ａ２、Ａ３は、出力アームと入力アームとがほぼ９０°の角度（調整可能）を成すように構成されている。
前記各入力アームの先端は、微調整機構３１、３２、３３を介して駆動ロッド３に軸支されている。
【００１３】
前記微調整機構３１、３２、３３は、駆動ロッド３に固定されたネジ受けにセットされたボルト３４、３６、３８を回すことによって、軸受け部材３５、３７、３９を駆動ロッド３に沿って微動させ、各迂回ローラＲ１、Ｒ２、Ｒ３の動きを整合させるように構成されている。
前駆駆動ロッド３の先端はガイド機構９によって規制され、後端には駆動機構４が備えられている。
【００１４】
前駆駆動機構４は、ダイヤル付きの調整ハンドル４１と、この調整ハンドル４１の回転を減速するウォーム歯車による減速機構と、減速された回転運動を駆動ロッド３の往復運動に変換する送りネジによる変換機構とを備えている。従って、前記調整ハンドル４１を操作することによって、前記駆動ロッド３を所望の位置に進退させることができるのである。
【００１５】
以下に、印刷パターンの間隔の調整手順を説明する。
図２において、調整ハンドル４１を操作して、駆動ロッド３を右側に前進させると、各軸受け部材３５に軸支された各入力アームは反時計回り方向に回動するので、出力アームも同方向に回動する。従って、出力アームの先端が下がり迂回ローラＲ１、Ｒ２、Ｒ３が下がるので、シートが引き下げられる。従って、印刷台間において下方に迂回するシートの迂回距離が長くなるので、印刷されるパターンの間隔が広がるのである。
【００１６】
一方、調整ハンドル４１を操作して、駆動ロッド３を左側に後退させると、各軸受け部材３５に軸支された各入力アームは時計回り方向に回動するので、出力アームも同方向に回動する。従って、出力アームの先端が上がり迂回ローラＲ１、Ｒ２、Ｒ３が上がるので、シートは付与されている張力によって引き上げられる。従って、印刷台間において下方に迂回するシートの迂回距離が短くなるので、印刷されるパターンの間隔が狭くなるのである。
【００１７】
上記構成によれば、このようにして、極めて簡単に印刷されるパターンの間隔を調整することができるのである。
なお、図３において、搬送装置は印刷台２１、２２、２３、２４を備え、これらの印刷台の両端にはローラが配設され、各印刷台の間にはスリットＳ１、Ｓ２、Ｓ３が形成されている。
【００１８】
また、調整ハンドル４１を操作することによって駆動ロッド３を進退せるように構成され、駆動ロッド３に固定されたネジ受けにセットされたボルト３４を回すことによって、軸受け部材３５を微調整するように構成された前記微調整機構３１、３２、３３を備えている。
【００１９】
図４において、
迂回ローラＲは、印刷位置調整クランクＡ１、Ａ２、Ａ３によって、印刷台２１、２２、２３、２４より下方に配設されている。
図５において、調整ハンドル４１を回すこと、ウォーム４２とウォームホィール４３にって減速され、ウォームホィール４３の中心に螺入された送りネジ４４を進退駆動するように構成されている。
【００２０】
次に、前記除去ローラの作用を説明する。
出力アームの先端の迂回ローラの近傍を拡大して示した図６において、
迂回ローラＲの軸は、印刷位置調整クランクＡの出力アームの先端に回転自在に支持されており、前記迂回ローラＲの表面に接して除去ローラＪが回転自在に支持されている。前記除去ローラＪの軸はプレート５によって支持されている。このプレート５は前記出力アームの途中に取り付けられており、前記プレート５の先端部に形成された縦長の長孔５１に前記除去ローラＪの軸が挿通されて支持されている。
【００２１】
前記プレート５に形成された長孔５１によって、前記除去ローラＪは前記迂回ローラＲの上部近傍に接した状態で、迂回ローラＲの回転に応じて回転するように構成されているのである。即ち、前記出力アームを若干回動させても、除去ローラＪがシート面に接触せずに迂回ローラＲの上部近傍に保持されるように構成されているのである。
前記除去ローラの表面には粘着層が形成されている。
【００２２】
以上の構成において、迂回ローラの表面は、印刷されたシート面が接触した状態となるので、印刷面に残存している余分なインク成分が付着する。しかし、このインク成分は、前記除去ローラの表面の粘着層に移転することによって迂回ローラの表面から除去される。従って、迂回ローラの表面は常にインク成分の無い状態に保持されるので、シートの印刷面を汚すことは無い。
【００２３】
一方、除去ローラの表面には、余分なインク成分が移転してインク成分層が形成されるが、揮発成分は揮発し、水分は内部へ浸透するので、表面は適度な粘性をもった粘着層が形成される。従って、移転して形成されたインク成分による粘着層によって、さらにシートの印刷面からの余分なインク成分が除去されるのである。このようにして、迂回ローラの表面に付着した余分なインク成分は、除去ローラによって常時除去されるので、迂回ローラによってシートの印刷面が汚染されることは防止できるのである。
【００２４】
しかも、除去ローラの表面には、除去したインク成分によって常時粘着層が形成されるので、長時間に渡って余分なインク成分を除去する機能を維持することができる。
多量のインク成分を除去した除去ローラは、交換するなり、表面の粘着層を泊視させて除去した後に粘着層を形成して再利用するなりすることができる。
【００２５】
なお、迂回ローラを調整する手段は図示されたものに限定されるものではなく、アクチュエータ等で直接昇降駆動等してもよい。
また、除去ローラを軸支する構成は図示されたものに限定されるものではなく、除去ローラを迂回ローラの上部近傍に保持できる構造であれば種々の構成を採用することができる。
【００２６】
【発明の効果】
以上のように、本発明によれば、迂回ローラによって、印刷するパターンの間隔を極めて簡単な作業で変更できるとともに、除去ローラによって、迂回ローラに付着した余分なインク成分も常時除去することができる。
【００２７】
従って、印刷するパターンのサイズが変更されても、版胴を交換し、迂回ローラによって、印刷するパターンの間隔を再調整するだけでよいので、作業効率が極めて向上する。
【００２８】
また、各色の印刷台の間での紫外線による乾燥処理が不要となるので、温度上昇を防ぐことができ印刷品質が安定するとともに、熱に弱いシートである樹脂製フィルム等に対しても印刷することが可能となった。
【図面の簡単な説明】
【図１】本発明にかかるシート搬送装置の実施の形態の構成を示した斜視図である。
【図２】前記シート搬送装置の正面図である。
【図３】前記シート搬送装置の平面図である。
【図４】前記シート搬送装置の断面図である。
【図５】前記シート搬送装置の駆動機構の断面図である。
【図６】迂回ローラ近傍の拡大正面図である。
【符号の説明】
１    転写手段
２    搬送装置
２１，２２，２３，３４  印刷台
Ｓ１、Ｓ２、Ｓ３  スリット
Ｒ１、Ｒ２、Ｒ３  迂回ローラ
Ａ１、Ａ２、Ａ３  印刷位置調整クランク
Ｊ１、Ｊ２、Ｊ３  除去ローラ
３１、３２、３３  微調整機構
３    駆動ロッド
３４  ガイド機構
３５  軸受け部材
４    駆動機構
４１  調整ハンドル
【図１】
2004175535.tif 000003
【図２】
2004175535.tif 000004
【図３】
2004175535.tif 000005
【図４】
2004175535.tif 000006
【図５】
2004175535.tif 000007
【図６】
2004175535.tif 000008